(57)【特許請求の範囲】
【請求項１】
シャッターボックスの屋外側の形状に即してサッシ枠の縦枠の上部の屋内側を切欠き、シャッターボックスとサッシ枠のいずれか一方を他方に対して水平方向に移動させてシャッターボックスの屋外側を上記縦枠の切欠き部に当接させて結合する結合方法において、
上記シャッターボックスと上記縦枠の切欠き部のうち、互いに上下に対応する部分を傾斜させるとともに、予め一方の当接部にシール材を取り付けておき、次に、シャッターボックスとサッシ枠のいずれか一方を他方に対して水平方向に移動させて押し付け、上記シール材を介してシャッターボックスと上記縦枠の切欠き部とを圧接させて結合することを特徴とするシャッターボックスとサッシ枠との結合方法。
【請求項２】
前記請求項１において、前記シャッターボックスを予め建物の躯体開口部に固定しておき、このシャッターボックスに対してサッシ枠を水平方向に移動させて結合することを特徴とするシャッターボックスとサッシ枠との結合方法。
【請求項３】
前記請求項１において、予めシャッターボックスとサッシ枠のいずれか一方を他方に対して水平方向に移動させて結合させた後、結合したシャッターボックスとサッシ枠とを建物の躯体開口部に取り付ける、シャッターボックスとサッシ枠との結合方法。
【発明の詳細な説明】
【０００１】
【発明の属する技術分野】
本発明はシャッターサッシにおけるシャッターボックスとサッシ枠との結合方法に関する。
【０００２】
【従来技術】
シャッターサッシはシャッターボックスをサッシ枠に一体的に設けたものである。従来は、サッシ枠の上部にシャッターボックスを取り付けていたが、最近はサッシ枠の一部にシャッターボックスを結合させる方式が採用されている。その一例として、例えば図８に示されるように、箱形のシャッターボックス３５の屋外側の形状に即してサッシ枠３６の縦枠上部の屋内側部分３７をＬ字形に切欠き、予めシャッターボックス３５を建物の躯体開口部３８に固定しておき、その屋外側からサッシ枠３６を適宜の装置により水平方向に移動させ、サッシ枠３６を躯体開口部３８に嵌入するとともに、シャッターボックス３５の屋外側に当接させて結合するものが知られている。このように、シャッターボックスとサッシ枠とを一体的に結合させることにより、シャッターボックスがサッシ枠の外側に出っ張らないので、外観が向上するという利点がある。
【０００３】
また、上記結合方式においては、サッシ枠とシャッターボックスとの当接部から雨水等が入り込まないように、予めシャッターボックスの当接部にシール材を取り付けておき、結合時にはシール材３９が圧接されて潰れるように設定されている。
【０００４】
【発明が解決しようとする課題】
しかしながら、上述のようにサッシ枠を水平方向に移動させる方式では、サッシ枠３６とシャッターボックス３５において互いに上下に対応する部分４０、４１は水平に形成されているから、水平方向の移動だけではシール材３９が圧接されることがない。特に、上図のように建物躯体に固定されたシャッターボックスに対してサッシ枠を結合させる場合は、シャッターボックスの重力はサッシ枠の下部の水平部に加わらないので、上下に対応する部分はシールが甘く、雨水が浸入可能な空隙ができてしまうことがある。この不都合を避けるためには、上下に対応する部分にできるだけ間隙ができないように加工すればよいが、その場合は、サッシ枠の移動途中で縦枠の下部がシャッターボックスのシール材に当たってしまうので、縦枠がシール材を擦りながら移動することになり、シール材が破損したり、位置ずれが発生したりするという問題があった。
【０００５】
本発明は上記問題点を解消し、水平移動によっても確実にシールさせることができるシャッターボックスとサッシ枠との結合方法を提供することをその課題とする。
【０００６】
【課題を解決するための手段】
前記課題を解決するため、本発明に係るシャッターボックスとサッシ枠との結合方法は、シャッターボックスの屋外側の形状に即してサッシ枠の縦枠の上部の屋内側を切欠き、シャッターボックスとサッシ枠のいずれか一方を他方に対して水平方向に移動させてシャッターボックスの屋外側を上記縦枠の切欠き部に当接させて結合する結合方法において、上記シャッターボックスと上記縦枠の切欠き部のうち、互いに上下に対応する部分を傾斜させるとともに、予め一方の当接部にシール材を取り付けておき、次に、シャッターボックスとサッシ枠のいずれか一方を他方に対して水平方向に移動させて押し付け、上記シール材を介してシャッターボックスと上記縦枠の切欠き部とを圧接させて結合することを特徴とする。
【０００７】
なお、前記シャッターボックスを予め建物の躯体開口部に固定しておき、このシャッターボックスに対してサッシ枠を水平方向に移動させて結合するようにしてもよい。
【０００８】
また、予めシャッターボックスとサッシ枠のいずれか一方を他方に対して水平方向に移動させて結合させた後、結合したシャッターボックスとサッシ枠とを建物の躯体開口部に取り付けるようにすることもできる。
【０００９】
【発明の実施の形態】
図１は建物ユニットを構成する躯体開口部にシャッター付きサッシを取り付ける例を示すもので、躯体開口部１は上下の金属製横枠材２、３と金属製縦枠材（図示せず）とから方形に形成されている。縦枠材は溶接もしくはボルト結合等により床梁、天井梁に接合され、横枠材２、３の両端部は縦枠材に溶接もしくはボルト結合等により接合されている。
【００１０】
上記躯体開口部１の上部横枠材２の下部にはシャッターボックス４が固定されている。
【００１１】
シャッターボックス４は、図２及び図３に示されるように、上面板５と背面板６と左右の側面板７とにより、内部にシャッター羽根８とその巻き取りドラム９が配置可能に形成されている。巻き取りドラム９は手動もしくは電動のいずれによって駆動されるものでもよい。シャッターボックス４は図１に示されるように、上部横枠材２の下面に当接され、取り付け金具１０を介して上部横枠材２の下面にボルト１１、ナット１２により固定されている。
【００１２】
なお、上記シャッターボックス４の上面板５の屋外側上縁に沿って上向きの受け縁１３が延長形成され、また背面板６の下縁に沿って下向きの受け縁１４が延長形成されている。さらに、側面板７の屋外側の側縁１５は上部１５ａが垂直で、下部１５ｃが傾斜し、上部１５ａと下部１５ｃとは弯曲部１５ｂを介して連続している。側面板７の縁は、上記側縁１５を含み、図４に示されるように内側に折り込まれた断面Ｌ字形で、上端から下端にわたって一定の幅の縁が屋外側に面するように形成されている。そして、シャッターボックス４の屋外側に面する周縁部、つまり、上下の受け縁１３、１４及び側面板７の側縁１５にはシール材１７（例えばブチルゴム製のブチルシール）が貼着されている。なお、側縁１５にシール材１７を貼る場合、その中間には弯曲部１５ｂが形成されているので、シール材１７が垂直部１５ａと傾斜部１５ｃとの間で角度をなさず、スムーズに貼ることができるから、均一に貼着することができる。なお、側面板７と上面板５・背面板６との当接部にもシール材が介装されている。
【００１３】
次に、シャッターボックス４付き躯体開口部１にサッシ枠２０を嵌合するとともに、このサッシ枠２０を上記シャッターボックス４と一体的に結合する。
【００１４】
サッシ枠２０は、図１〜図３に示されるように、上枠２１と下枠２２と無目２３と両側の縦枠２４とから枠組みされたものであり、内部には障子や網戸を摺動自在に収納できるように形成されている。また、サッシ枠２０はシャッターボックス４に圧接されて結合するものであり、シャッターボックス４のシール材１７によって形成された当接部に当接する部分は、上枠２１と縦枠２４と無目２３である。上枠２１の屋内側には、上記シール材１７に当接する部分に突条２５が形成されている。また、縦枠２４の屋内側上部は切欠きされている。切欠き部２６はシャッターボックス４の側面板７の側縁１５の形状に即するように形成され、シャッターボックス４の垂直部１５ａ、弯曲部１５ｂ及び傾斜部１５ｃに対して下方に対応する部分も垂直部２６ａ、弯曲部２６ｂ及び傾斜部２６ｃとして形成されている。さらに、無目２３の屋内側には、上記シール材１７に当接する部分の面にネジ受け溝２７が開口形成されている。なお、通常の場合、サッシの縦枠２４の内側にはシャッターのガイドレール（図示せず）が取り付けられている。
【００１５】
ここで、上記サッシ枠２０を躯体開口部１に取り付けるにあたっては、サッシ枠２０を適宜の機械装置により躯体開口部１の高さまで吊し上げた後、水平方向に移動させ、躯体開口部１に嵌入させる。同時に、サッシ枠２０の上部をシャッターボックス４に押し付ける。これにより、両者は図５に示すように結合され、サッシ枠２０は躯体開口部１に嵌合するとともに、図６及び図７に示されるように、サッシ枠２０とシャッターボックス４とは、サッシ枠２０の上枠２１の屋内側突条２５はシャッターボックス４の上部受け縁１３のシール材１７に、サッシ枠２０の無目２３の屋内側端面はシャッターボックス４の下部受け縁１４のシール材１７に、さらに、サッシ枠２０の縦枠２４の切欠き部２６はシャッターボックス４の側面板７のシール材１７に、それぞれ圧接される。
【００１６】
その後、サッシ上枠２１は躯体開口部１の上部横枠材２に、サッシ下枠２２は下部横枠材３にそれぞれネジ、ボルト等により固定し、また、サッシ枠２０の無目２３の屋内側端面のネジ受け溝２７にはシャッターボックス４の下部受け縁１４から挿通されたネジ２８を螺着する。さらに、サッシ枠２０の上部にはシャッターの前面カバー２９を取り付け、シャッターボックス４と結合したサッシ枠２０の周囲に所定の外壁材３０、内壁材３１、断熱材３２、窓額縁３３等を取り付け施工して全体が完成する。
【００１７】
上述のように、サッシ枠２０をシャッターボックス４に水平方向に移動させて押し当てる際、両者の互いに上下に対応する部分、つまりサッシ枠２０の傾斜部２６ｂはシャッターボックス４の側面板７の傾斜部１５ｃに押圧される。このときシャッターボックス４とサッシ枠２０との間の押圧力は、上部の垂直部１５ａ、２６ａ間で大きく、下部の傾斜部１５ｃ、２６ｃ間ではやや小さい。しかし、下部の傾斜部１５ｃ、２６ｃ間における押圧力でもシールには十分である。しかも、上下部の間には弯曲部１５ｂ、２６ｂが形成されているので、押圧時に上部から下部にかけて押圧力は緩やかに、かつ滑らかに変化していくから、弯曲部１５ｂ、２６ｂから下部の傾斜部１５ｃ、２６ｃにかけてのシール状態も極端に偏ることがなく、良好なシールを確保することができる。
【００１８】
さらに、縦枠２４の切欠き部２６は板状部を切断したものであるから、その切口は幅狭である。したがって、シール材１７に押し当てると、小さな押圧力でも切口がシール材１７に容易に食い込むから、シール材１７は潰れ、確実なシール効果が得られる。
【００１９】
なお、シャッターボックスとサッシ枠との取付態様は上述の例に限定されるものではない。例えば、予め上述と同じ要領でシャッターボックスとサッシ枠とを一体的に結合した後に、シャッターボックス付きサッシ枠を躯体開口部に嵌合して取り付けるようにしてもよい。
【００２０】
また、シール材はサッシの当接部に取り付けておいてもよい。
【００２１】
【発明の効果】
請求項１に係る発明によれば、サッシ枠とシャッターボックスのいずれか一方を他方に対して水平方向に移動させて押し当てる際、両者の互いに上下に対応する部分は傾斜しているので、互いにシール材を介して圧接される。したがって、水平移動によってもサッシ枠とシャッターボックスとを確実にシールさせることができる。
【００２２】
請求項２に係る発明によれば、シャッターボックスを予め建物の躯体開口部に固定しておき、このシャッターボックスに対してサッシ枠を水平方向に移動させて結合するのであるから、結合とほぼ同時に躯体開口部まわりの仕上げ作業も行なうことができて効率的である。
【００２３】
請求項３に係る発明によれば、シャッターボックスとサッシ枠とを結合させた後、躯体開口部に取り付けるので、組み立て工場等で予め結合作業をするような場合に適している。
【図面の簡単な説明】
【図１】シャッターボックスに対するサッシ枠の取付態様を示す側面図
【図２】上記取付態様を示す斜視図
【図３】上記取付態様を他の角度から示す斜視図
【図４】シャッターボックスの側面板の要部を一部切断して示す斜視図
【図５】シャッターボックスとサッシ枠とが結合された状態の斜視図
【図６】シャッターボックスとサッシ枠とが結合された状態の躯体開口部の縦断面図
【図７】シャッターボックスとサッシ枠とが結合された状態の躯体開口部の要部の横断面図
【図８】従来の取付態様を簡略に示した説明図
【符号の説明】
１  躯体開口部
４  シャッターボックス
１５ｃ、２６ｃ  傾斜部
１７  シール材
２０  サッシ枠
【図１】
0003612004.tif 000002
【図２】
0003612004.tif 000003
【図３】
0003612004.tif 000004
【図４】
0003612004.tif 000005
【図５】
0003612004.tif 000006
【図６】
0003612004.tif 000007
【図７】
0003612004.tif 000008
【図８】
0003612004.tif 000009